(57)【特許請求の範囲】
【請求項１】
自動販売機の外扉の背面に左右の一端がヒンジ結合され外扉前面の透明板との間に商品見本の展示室を形成する中扉をその閉位置にロックする中扉ロック装置において、前記外扉側または中扉側の一方の反ヒンジ側の側端部には、係合部を有する係合部材が上下方向に回動自在に取り付けられ、他方側の反ヒンジ側の側端部には、前記一方に対向して開孔した開孔部を有する切欠きと、前記切欠き下部に設けた凹部と、前記開孔部下端から前記一方に向かって下方に傾斜する案内部を形成し、前記係合部材は、所定の下方位置に保持され、前記中扉を前記外扉へ閉塞する操作を行うと、前記係合部を切欠きから案内して前記係合部が自動的に前記凹部に進入嵌合した位置で、前記一方の反ヒンジ側の側端部と前記他方の反ヒンジ側の側端部とが対向配置して前記中扉を閉位置にロックし、前記係合部を前記凹部との嵌合を解除させて中扉のロックを解除することを特徴とする自動販売機の中扉ロック装置。
【請求項２】
自動販売機の外扉の背面に左右の一端がヒンジ結合され外扉前面の透明板との間に商品見本の展示室を形成する中扉をその閉位置にロックする中扉ロック装置において、前記中扉の反ヒンジ側の側端部に設けた上下方向で、かつ円弧状の長孔と、前部が屈曲する係合部を有する略Ｌ字形をなす係合部材と、前記外扉の反ヒンジ側の内面側に設けられた枠板に前記中扉の前記側端部に対向して開孔した開孔部を有する切欠きと、前記切欠き手前下部に設けた凹部と、前記開孔部下端から前記中扉に向かって斜め下に斜面を形成する案内部を設け、前記係合部が前記中扉の外側から前記展示室側に向かって前記長孔を貫通するように、支持軸で前記係合部材の後部を前記中扉に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除することを特徴とする自動販売機の中扉ロック装置。
【請求項３】
自動販売機の外扉の背面に左右の一端がヒンジ結合され外扉前面の透明板との間に商品見本の展示室を形成する中扉をその閉位置にロックする中扉ロック装置において、前記外扉側の反ヒンジ側で、前記外扉の内面側の枠板に設けた上下方向で、かつ円弧状の長孔と、前部が屈曲する係合部を有する略Ｌ字形をなす係合部材と、前記中扉の反ヒンジ側の側端部に前記外扉の前記枠板に対向して開孔した開孔部を有する切欠きと、前記切欠き奥方下部に設けた凹部と、前記開孔部下端から前記外扉に向かって斜め下に斜面を形成する案内部を設け、前記係合部が前記展示室側から前記外扉の外側に向かって前記長孔を貫通するように、支持軸で前記係合部材の後部を外扉側に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除することを特徴とする自動販売機の中扉ロック装置。
【発明の詳細な説明】
【０００１】
【発明の属する技術分野】
本発明は、缶、瓶などの商品を販売する自動販売機において中扉を外扉に係合してロックする自動販売機の中扉ロック装置に関する。
【０００２】
【従来の技術】
自動販売機の外扉の背面に左右の一端がヒンジ結合され外扉前面の透明板との間に商品見本の展示室を形成する中扉を外扉との閉位置にロックする従来の中扉ロック装置に関する提案は、例えば特開平９−９１５０８号公報がある。
【０００３】
同公報に記載の自動販売機のロック装置を図７〜図９に示す。図７及び図８において、１は缶入り飲料を販売する自動販売機の本体、２は本体１にヒンジ取付けされた外扉、２ａは透明板、３は外扉２に設けられ商品見本４を展示する展示室、５は商品取出口、６は中扉を示す。
【０００４】
外扉２には、前記展示室３、商品の取出口５の他に図示しないコイン投入口、釣銭返却口等が設けられている。透明板２ａは外扉２の前面開口部を覆って設けられ、中扉６は外扉２の背面に左右方向の一端（この場合左端）をヒンジ取り付けされている。この透明板２ａと中扉６との間に前記展示室３が形成され、その室内には商品見本４の他に、図示しない冷・温表示具、および売価表示具が配備されこれらは照明灯（図示せず）により照明されて透明板２ａを透して外扉２の前面から見えるようになっている。
【０００５】
また、透明板２ａには、商品見本４と一対一で対応する商品選択ボタン（図示せず）が取り付けられている。前記展示室３は、内部清掃や、商品見本および冷・温表示の入れ替え、あるいは照明灯の交換等のために、外扉２を開放した状態で中扉６が開閉できるようになっている。
【０００６】
７は中扉６を閉位置でロックする装置であり、ロック装置７は、長さの長い第一係合片７ｂとこれに対向する長さの短い第二係合片７ｃとを備えて全体が略コ字形を呈し且つ中扉６の反ヒンジ側の側端部に取付られるロック板７ａと、外扉２の枠板内面に形成され前記ロック板７ａの第二係合片７ｃに係合する係止板９とからなる。尚、Ｐは係止板９の後端面と中扉６との間に介挿したパッキンである。
【０００７】
そして、図９に示す如く、前記ロック板７ａの第一係合片７ｂに水平な向きの長孔１１を形成し、長孔１１に挿通した段付きねじ１０で第一係合片７ｂを中扉６の扉面に当接させてロック板７ａを中扉６に対しスライド可能に取り付け、ロック板７ａを反ヒンジ側にスライドさせて第二係合片７ｃが前記係止板９から外れた位置で中扉６のロックを解除するようにしている。
【０００８】
【発明が解決しようとする課題】
しかし、従来の自動販売機の中扉ロック装置では、ロック板を中扉の扉面に当接させてロック板をスライドさせて中扉のロックや解除を行うため、中扉がロック板により傷付き外観不良を引き起こしたり、ロックの方法が人の操作によるもので、操作忘れがあったり、操作忘れ時にはロック板により周辺部材を破損させる欠点を有していた。
【０００９】
本発明は、上記従来の課題を解決するもので、ロック操作は人による意図的な操作に頼らず、また周辺部材を傷付けたりすることなく中扉を外扉に係合し、ロックする自動販売機の中扉ロック装置を提供することを課題とする。
【００１０】
【課題を解決するための手段】
この課題を解決するために本発明による自動販売機の中扉ロック装置において、自動販売機の外扉の背面に左右の一端がヒンジ結合され外扉前面の透明板との間に商品見本の展示室を形成する中扉をその閉位置にロックする中扉ロック装置において、前記外扉側または中扉側の一方の反ヒンジ側の側端部には、係合部を有する係合部材が上下方向に回動自在に取り付けられ、他方側の反ヒンジ側の側端部には、前記一方に対向して開孔した開孔部を有する切欠きと、前記切欠き下部に設けた凹部と、前記開孔部下端から前記一方に向かって下方に傾斜する案内部を形成し、前記係合部材は、所定の下方位置に保持され、前記中扉を前記外扉へ閉塞する操作を行うと、前記係合部を切欠きから案内して前記係合部が自動的に前記凹部に進入嵌合した位置で、前記一方の反ヒンジ側の側端部と前記他方の反ヒンジ側の側端部とが対向配置して前記中扉を閉位置にロックし、前記係合部を前記凹部との嵌合を解除させて中扉のロックを解除するものである。
【００１１】
この構成により、中扉を外扉に閉じる操作を行うことにより、係合部材が開孔部に進入し、自動的に下方に回動して凹部に進入し、一方の反ヒンジ側の側端部と他方の反ヒンジ側の側端部とが対向配置して嵌合するので、ロック操作自体は人による意図的な操作に頼らず、また周辺部材を傷付けたりすることなく中扉を外扉に係合し、ロックする。
【００１２】
また、自動販売機の外扉の背面に左右の一端がヒンジ結合され外扉前面の透明板との間に商品見本の展示室を形成する中扉をその閉位置にロックする中扉ロック装置において、前記中扉の反ヒンジ側の側端部に設けた上下方向で、かつ円弧状の長孔と、前部が屈曲する係合部を有する略Ｌ字形をなす係合部材と、前記外扉の反ヒンジ側の内面側に設けられた枠板に前記中扉の前記側端部に対向して開孔した開孔部を有する切欠きと、前記切欠き手前下部に設けた凹部と、前記開孔部下端から前記中扉に向かって斜め下に斜面を形成する案内部を設け、前記係合部が前記中扉の外側から前記展示室側に向かって前記長孔を貫通するように、支持軸で前記係合部材の後部を前記中扉に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除するものである。
【００１３】
この構成により、中扉を外扉に閉じる操作を行うのみにより、中扉の係合部材が外扉側の案内部を摺動しながら上方に回動し、同時に長孔内を下端から上端に向かって移動することにより、開孔部に進入する。更に、係合部材は自重で下方に回動して、同時に長孔内を上端から下端に向かって移動し、凹部に進入し、中扉の側板部と外扉の枠板とが対向配置して嵌合するので、ロック操作自体は人による意図的な操作に頼らず、また周辺部材を傷付けたりすることなく中扉を外扉に係合し、ロックする。
【００１４】
また、自動販売機の外扉の背面に左右の一端がヒンジ結合され外扉前面の透明板との間に商品見本の展示室を形成する中扉をその閉位置にロックする中扉ロック装置において、前記外扉側の反ヒンジ側で、前記外扉の内面側の枠板に設けた上下方向で、かつ円弧状の長孔と、前部が屈曲する係合部を有する略Ｌ字形をなす係合部材と、前記中扉の反ヒンジ側の側端部に前記外扉の前記枠板に対向して開孔した開孔部を有する切欠きと、前記切欠き奥方下部に設けた凹部と、前記開孔部下端から前記外扉に向かって斜め下に斜面を形成する案内部を設け、前記係合部が前記展示室側から前記外扉の外側に向かって前記長孔を貫通するように、支持軸で前記係合部材の後部を外扉側に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除するものである。
【００１５】
この構成により、中扉を外扉に閉じる操作を行うのみにより、外扉の係合部材が中扉側の案内部から開孔部に進入し、同時に長孔内を下端から上端に向かって移動し、自重で回動して凹部に進入し、同時に長孔内を上端から下端に向かって移動し、中扉の側板部と外扉の枠板とが対向配置して嵌合するので、ロック操作自体は人による意図的な操作に頼らず、また周辺部材を傷付けたりすることなく中扉を外扉に係合し、ロックする。
【００１６】
【発明の実施の形態】
本発明の請求項１に記載の発明は、自動販売機の外扉の背面に左右の一端がヒンジ結合され外扉前面の透明板との間に商品見本の展示室を形成する中扉をその閉位置にロックする中扉ロック装置において、前記外扉側または中扉側の一方の反ヒンジ側の側端部には、係合部を有する係合部材が上下方向に回動自在に取り付けられ、他方側の反ヒンジ側の側端部には、前記一方に対向して開孔した開孔部を有する切欠きと、前記切欠き下部に設けた凹部と、前記開孔部下端から前記一方に向かって下方に傾斜する案内部を形成し、前記係合部材は、所定の下方位置に保持され、前記中扉を前記外扉へ閉塞する操作を行うと、前記係合部を切欠きから案内して前記係合部が自動的に前記凹部に進入嵌合した位置で、前記一方の反ヒンジ側の側端部と前記他方の反ヒンジ側の側端部とが対向配置して前記中扉を閉位置にロックし、前記係合部を前記凹部との嵌合を解除させて中扉のロックを解除するものであり、中扉を外扉に閉じる操作を行うのみにより、係合部材が枠板側の案内部から開孔部に進入し、自動的に下方に回動して凹部に進入嵌合するので、ロック操作自体は人による意図的な操作に頼らず、また周辺部材を傷付けたりすることなく中扉を外扉に係合し、ロックするという作用を有する。
【００１７】
本発明の請求項２に記載の発明は、自動販売機の外扉の背面に左右の一端がヒンジ結合され外扉前面の透明板との間に商品見本の展示室を形成する中扉をその閉位置にロックする中扉ロック装置において、前記中扉の反ヒンジ側の側端部に設けた上下方向で、かつ円弧状の長孔と、前部が屈曲する係合部を有する略Ｌ字形をなす係合部材と、前記外扉の反ヒンジ側の内面側に設けられた枠板に前記中扉の前記側端部に対向して開孔した開孔部を有する切欠きと、前記切欠き手前下部に設けた凹部と、前記開孔部下端から前記中扉に向かって斜め下に斜面を形成する案内部を設け、前記係合部が前記中扉の外側から前記展示室側に向かって前記長孔を貫通するように、支持軸で前記係合部材の後部を前記中扉に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除するものであり、中扉を外扉に閉じる操作を行うのみにより、係合部材が枠板側の案内部から開孔部に進入し、自重で回動して凹部に進入嵌合するので、ロック操作自体は人による意図的な操作に頼らず、また周辺部材を傷付けたりすることなく中扉を外扉に係合し、ロックするという作用を有する。
【００１８】
本発明の請求項３に記載の発明は、自動販売機の外扉の背面に左右の一端がヒンジ結合され外扉前面の透明板との間に商品見本の展示室を形成する中扉をその閉位置にロックする中扉ロック装置において、前記外扉側の反ヒンジ側で、前記外扉の内面側の枠板に設けた上下方向で、かつ円弧状の長孔と、前部が屈曲する係合部を有する略Ｌ字形をなす係合部材と、前記中扉の反ヒンジ側の側端部に前記外扉の前記枠板に対向して開孔した開孔部を有する切欠きと、前記切欠き奥方下部に設けた凹部と、前記開孔部下端から前記外扉に向かって斜め下に斜面を形成する案内部を設け、前記係合部が前記展示室側から前記外扉の外側に向かって前記長孔を貫通するように、支持軸で前記係合部材の後部を外扉側に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除するものであり、中扉を外扉に閉じる操作を行うのみにより、係合部材が中扉側の案内部から開孔部に進入し、自重で回動して凹部に進入嵌合するので、ロック操作は人による意図的な操作に頼らず、また周辺部材を傷付けたりすることなく中扉を外扉に係合し、ロックするという作用を有する。
【００１９】
【実施例】
以下、本発明の実施例について図を用いて説明する。
（実施例１）
図１〜図３は本発明の実施例１の主要部の構成図であるが、従来例と同一符号を付与した部材は同一の機能を有するのでその詳細な説明を省略する。
展示室３を構成する外扉２の内面側に設けられた枠板８には、切欠き１２が形成されている。切欠き１２は、中扉６を枢支するヒンジ６ａと反対側（反ヒンジ側）に位置する。
【００２０】
１３は係合部材で一端（前部）がヒンジ６ａ側に屈曲した係合部１３ａを有していて略Ｌ字形を呈している。係合部材１３の他端側（後部）は平板状に形成され、且つ穴１４が設けられている。中扉６の反ヒンジ側の側端部６ｂには上下方向で且つ円弧状の長孔１５が設けられている。
【００２１】
前記係合部１３ａは中扉６の外側から展示室３側に向かって前記長孔１５を貫通しており、係合部材１３に設けた穴１４に支持軸としての段付きネジ１６を挿通して中扉６にねじ込むことにより、係合部材１３は中扉６外側に挟着される。また、穴１４の穴径は段付ネジ１６の径より大きく、係合部材１３は段付ネジ１６により、上下方向に回動自在に取付けられている。従って、係合部材１３は自重により自動的に下方に回動すると共に、係合部１３ａは長孔１５の下端で保持され、その下方への回動が規制されている。
【００２２】
前記切欠き１２は中扉６に対向して開孔した開孔部１２ａを有し、また手前下部には凹部１２ｂ、さらに開孔部１２ａ下端から中扉６に向かって斜め下に斜面を形成する案内部１２ｃを有している。ここで、凹部１２ｂの下端は、前記中扉６の長孔１５の下端よりｈだけ上方に形成位置が定められている。また、案内部１２ｃの下端は長孔１５の下端よりもｈ’だけ下方に形成位置が定められており、案内部１２ｃは可及的に緩やかに角度傾斜している。さらに開孔部１２ａの上下幅寸法は係合部１３ａの幅寸法より大きく形成している。前記長孔１５の上下幅は、係合部１３ａの回動軌跡幅より大きく設けられており、開孔部１２ａの上端は長孔１５の上端よりも上方に形成位置が定められている。
【００２３】
以上の構成において、中扉６を外扉２へ閉塞する操作を行うと，下方に位置する係合部１３ａが案内部１２ｃの斜面に先ず当接した後、係合部材１３は自重で回動自在に取付けられているだけであるため、中扉６の閉塞方向の移動に伴って係合部１３ａは案内部１２ｃの斜面を摺動しながら斜め上方へ押し上げられる（図３（ｂ）参照）。
【００２４】
次に、係合部１３ａは開孔部１２ａから切欠き１２へ進入移行した後、切欠き１２手前へと進入して凹部１２ｂに至ると、係合部材１３の自重による回動により係合部１３ａが凹部１２ｂ内に落込んで進入嵌合する（図３（ａ）及び（ｂ）参照）。この位置が係合部１３ａの中扉６をロック位置であり、係合部１３ａと凹部１２ｂとの形成位置が定められている。
【００２５】
ロックを解除して中扉６を開く操作は、係合部材１３を持ち上げて上方に回動させて凹部１２ｂから離脱させた状態で中扉６を開くと、係合部１３ａは切欠き１２及び開孔部１２ａを通過して枠板８から外れ、その後は手を離しても係合部材１３の自重による回動にて長孔１５下端へ落下して保持される。
したがって本発明の自動販売機の中扉ロック装置によれば、ロック操作は人による意図的な操作に頼らず、また周辺部材を傷付けたりすることなく中扉を外扉に係合し、ロックすることができる。
【００２６】
（実施例２）
図４〜図６は本発明の実施２の主要部の構成図であるが、従来例や第一の実施の形態と同一符号を付与した部材はおおよそ同一の機能を有するのでその説明を省略する。
【００２７】
前記枠板８には長孔１７が中扉６の反ヒンジ側に設けられている。係合部材１３は、前部が屈曲して係合部１３ａを有していて略Ｌ字形を成していて、穴１４が設けられているのは、前記実施例１と同様である。中扉６の反ヒンジ側の側端部６ｂには切欠き１８が設けられており、切欠き１８は外扉２に対向して開孔した開孔部１８ａを有し、また奥方下部には凹部１８ｂ、さらに開孔部１８ａ下端から外扉２に向かって斜め下に斜面を形成する案内部１８ｃを有している。
【００２８】
凹部１８ｂの下端は長孔１７の下端よりｈだけ上方に形成位置が定められている。また、案内部１８ｃの下端は長孔１７の下端よりもｈ’だけ下方に形成位置が定められていて、可及的に緩やかに角度傾斜している。さらに開孔部１８ａの上下幅寸法は係合部１３ａの幅寸法より大きく形成されている。
【００２９】
係合部１３ａは展示室３側から枠板８の外側に向かって長孔１７を貫通しており、係合部材１３に設けた穴１４に段付きネジ１９を挿通して枠板８にねじ込むことにより、係合部材１３は枠板８の展示室３側に挟着される。また、穴１４の穴径は段付ネジ１９の径より大きく、係合部材１３は段付ネジ１９により回動自在に取付けられており、係合部１３ａは長孔１７の下端で保持されている。また、長孔１７の上下方向の幅は、係合部１３ａの回動軌跡幅より大きく設けられており、開孔部１８ａの上端は長孔１７の上端よりも上方に形成位置が定められている。
【００３０】
以上の構成において、中扉６を外扉２へ閉塞する操作を行うと，係合部１３ａが案内部１８ｃの斜面に先ず当接した後、係合部材１３は自重で回動自在に取付けられているだけであるため係合部１３ａは斜面に沿って斜め上方へ押し上げられる。次に、係合部１３ａは開孔部１８ａから切欠き１８へ進入移行した後、切欠き１８奥へと進入して凹部１８ｂに至ると、係合部材１３の自重による回動により係合部１３ａが凹部１８ｂ内に落込んで進入嵌合する（図６参照）。この位置が係合部１３ａの中扉６をロック位置であり、係合部１３ａと凹部１８ｂとの形成位置が定められている。
【００３１】
ロックを解除して中扉６を開く操作は、係合部１３ａの先端を持ち上げて中扉６を開くと、係合部１３ａは切欠き１８及び開孔部１８ａを通過して中扉６から外れ、その後は手を離しても係合部材１３の自重による回動にて長孔１７下端へ落下して保持される。
【００３２】
したがって本発明の自動販売機の中扉ロック装置によれば、ロック操作は人による意図的な操作に頼らず、また周辺部材を傷付けたりすることなく中扉６を外扉２に係合し、ロックすることができることに加えて、中扉６の展示室３側には係合部材１３などの突起物が存在しないので中扉６の展示室３側の清掃作業に支障をきたさない
【００３３】
尚、本発明は、上記実施例に限定されるものではなく、例えば係合部材１３は、自重により自動的に下方に回動する構成であったが、スプリング等の弾性手段で付勢するようにしても良い。
【００３４】
【発明の効果】
以上のように本発明によれば、自動販売機の外扉の背面に左右の一端がヒンジ結合され外扉前面の透明板との間に商品見本の展示室を形成する中扉をその閉位置にロックする中扉ロック装置において、前記外扉側または中扉側の一方の反ヒンジ側の側端部には、係合部を有する係合部材が上下方向に回動自在に取り付けられ、他方側の反ヒンジ側の側端部には、前記一方に対向して開孔した開孔部を有する切欠きと、前記切欠き下部に設けた凹部と、前記開孔部下端から前記一方に向かって下方に傾斜する案内部を形成し、前記係合部材は、所定の下方位置に保持され、前記中扉を前記外扉へ閉塞する操作を行うと、前記係合部を切欠きから案内して前記係合部が自動的に前記凹部に進入嵌合した位置で、前記一方の反ヒンジ側の側端部と前記他方の反ヒンジ側の側端部とが対向配置して前記中扉を閉位置にロックし、前記係合部を前記凹部との嵌合を解除させて中扉のロックを解除するので、ロック操作は人による意図的な操作に頼らず、また周辺部材を傷付けたりすることなく中扉を外扉に係合して、ロックすることができる。
【００３５】
また、自動販売機の外扉の背面に左右の一端がヒンジ結合され外扉前面の透明板との間に商品見本の展示室を形成する中扉をその閉位置にロックする中扉ロック装置において、前記中扉の反ヒンジ側の側端部に設けた上下方向で、かつ円弧状の長孔と、前部が屈曲する係合部を有する略Ｌ字形をなす係合部材と、前記外扉の反ヒンジ側の内面側に設けられた枠板に前記中扉の前記側端部に対向して開孔した開孔部を有する切欠きと、前記切欠き手前下部に設けた凹部と、前記開孔部下端から前記中扉に向かって斜め下に斜面を形成する案内部を設け、前記係合部が前記中扉の外側から前記展示室側に向かって前記長孔を貫通するように、支持軸で前記係合部材の後部を前記中扉に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除するものであり、中扉を外扉に閉じる操作を行うのみにより、中扉側に取り付けられた係合部材が外扉側の案内部から開孔部に進入し、自重で回動して凹部に進入嵌合するので、ロック操作は人による意図的な操作に頼らず、また周辺部材を傷付けたりすることなく中扉を外扉に係合し、ロックすることができる。
【００３６】
また、動販売機の外扉の背面に左右の一端がヒンジ結合され外扉前面の透明板との間に商品見本の展示室を形成する中扉をその閉位置にロックする中扉ロック装置において、前記外扉側の反ヒンジ側で、前記外扉の内面側の枠板に設けた上下方向で、かつ円弧状の長孔と、前部が屈曲する係合部を有する略Ｌ字形をなす係合部材と、前記中扉の反ヒンジ側の側端部に前記外扉の前記枠板に対向して開孔した開孔部を有する切欠きと、前記切欠き奥方下部に設けた凹部と、前記開孔部下端から前記外扉に向かって斜め下に斜面を形成する案内部を設け、前記係合部が前記展示室側から前記外扉の外側に向かって前記長孔を貫通するように、支持軸で前記係合部材の後部を外扉側に上下方向回動自在に取付け、前記係合部は自重にて回動して前記長孔下端にて保持され、前記中扉を前記外扉へ閉塞する操作を行うと、前記係合部は前記案内部の斜面に当接した後、前記中扉の閉塞方向の移動に伴って、斜面を摺動しながら斜め上方へ押し上げられ、同時に前記長孔内を下端から上端に向かって移動し、そして前記係合部が前記案内部から前記凹部へ進入移行し、同時に前記長孔内を上端から下端に向かって移動し、自重により前記凹部に進入嵌合した位置で前記側板部と前記枠板とが対向配置して前記中扉を閉位置にロックし、前記中扉を前記外扉から開く操作を行うと、前記係合部材を持ち上げることで前記係合部は前記長孔内を円弧状に移動しながら前記凹部との嵌合を解除させて中扉のロックを解除するものであり、中扉を外扉に閉じる操作を行うのみにより、外扉側に取り付けられた係合部材が中扉側の案内部から開孔部に進入し、自重で回動して凹部に進入嵌合するので、ロック操作は人による意図的な操作に頼らず、また周辺部材を傷付けたりすることなく中扉を外扉に係合し、ロックすることができて、さらに中扉の展示室側の清掃作業に支障をきたさない。
【図面の簡単な説明】
【図１】本発明の実施例１による主要部分の斜視図
【図２】同係合部材の取付けを示す分解斜視図
【図３】（ａ）は係合部材を凹部に嵌合させた状態の断面平面図、（ｂ）は同断面正面図
【図４】本発明の実施例２による主要部分の斜視図
【図５】同係合部材の取付けを示す分解斜視図
【図６】同係合部材を凹部に嵌合させた状態の断面平面図
【図７】従来例の自動販売機の外観図
【図８】図７のＡ−Ａ拡大断面図
【図９】従来例のロック板の外観斜視図
【符号の説明】
２  外扉
２ａ  透明板
３  展示室
４  商品見本
６  中扉
６ａ  ヒンジ
８  枠板
１２  切欠き
１２ａ  開孔部
１２ｂ  凹部
１２ｃ  案内部
１３  係合部材
１３ａ  係合部
１４  穴
１５  長孔
１６  段付きネジ
１７  長孔
１８  切欠き
１８ａ  開孔部
１８ｂ  凹部
１８ｃ  案内部
１９  段付きネジ
【図１】
0004086944.tif 000002
【図２】
0004086944.tif 000003
【図３】
0004086944.tif 000004
【図４】
0004086944.tif 000005
【図５】
0004086944.tif 000006
【図６】
0004086944.tif 000007
【図７】
0004086944.tif 000008
【図８】
0004086944.tif 000009
【図９】
0004086944.tif 000010